(57)【要約】【課題】抜け止め部にリード線を絡げた位置から半田付け位置までが近いと、半田付けする際に抜け止め部からリード線の先端までの長さが短くなる。そのため、リード線を半田付けする際に、リード線を引っ張る場合が生じ、リード線が抜け止め部から外れてしまうおそれが生じる。【解決手段】配線穴を通してケーシング内に延在されたリード線を保持する抜け止め部を、上記ケーシングの一側側に変位させて後ケースに形成すると共に、上記半田付け部を、上記回路基板を上記前ケースに固定した状態でケーシングの他側側に変位した位置に設けた。【選択図】  図２
2015081714.tif 000002
【特許請求の範囲】
【請求項１】
壁面に取り付けられる後ケースと、この後ケースに接合される前ケースとからなるケーシング内に、前ケースに固定して回路基板を収納すると共に、後ケースの中央部近傍に形成した配線穴を通してケーシング内部に延在するリード線の先端を上記回路基板上に形成した半田付け部に半田付けした風呂リモコンにおいて、上記配線穴を通してケーシング内に延在されたリード線を保持する抜け止め部を、上記ケーシングの一側側に変位させて後ケースに形成すると共に、上記半田付け部を、上記回路基板を上記前ケースに固定した状態でケーシングの他側側に変位した位置に設けたことを特徴とする風呂リモコン。
【請求項２】
上記リード線の先端を上記半田付け部に半田付けし、前ケースと後ケースとを相互に接続した状態でリード線を半田付け部近傍で保持する保持部を、後ケースに形成したことを特徴とする請求項１に記載の風呂リモコン。
【請求項３】
上記リード線の先端を上記半田付け部に半田付けし、前ケースと後ケースとを相互に接続した状態でリード線の弛みが生じないようにリード線の先端から上記抜け止め部までの長さを設定するための設定部を、上記後ケースに形成したことを特徴とする請求項１または請求項２に記載の風呂リモコン。
【発明の詳細な説明】
【技術分野】
【０００１】
本発明は、浴室の壁面に取り付けられる風呂リモコンに関する。
【背景技術】
【０００２】
上記従来の風呂リモコンは、前ケースと後ケースとを相互に連結させた水密なケーシングを有している。そして、そのケーシング内には回路基板やその他の電子部品が収納されており、浴室外に設置した給湯装置から延びるケーブルが接続されている。このケーブルは複数本のリード線が束ねられたもので、風呂リモコンに接続する直前で各リード線にばらされ、後ケースのほぼ中央に形成された配線穴を通してケーシング内に導かれる。なお、貫通穴にはゴム製のグロメットがはめこまれている。グロメットにはリード線の本数と同じ数の細孔が形成されており、各リード線はこの細孔を通してケーシング内部に導かれる。ケーシング内部に導かれたリード線の先端を回路基板に半田付けしただけでは、リード線が外方向に引っ張られた場合、その張力が半田付け部に直接作用して断線するおそれがあるので、リード線を引っかけることによりリード線が抜け方向に移動しない抜け止め部をケーシング内部に形成し、その抜け止め部にリード線を絡げている。
【０００３】
内部に導かれたリード線の先端は絶縁被覆が剥がされ、回路基板の所定の半田付け位置に半田付けされる。そして、リード線の先端を回路基板に半田付けした状態で前ケースと後ケースとを相互に併せて両者を互いに結合している（例えば、特許文献１参照）。
【先行技術文献】
【特許文献】
【０００４】
【特許文献１】特開２０００−３１０４４８号公報（図１、図５）
【発明の概要】
【発明が解決しようとする課題】
【０００５】
上記従来の構成では、抜け止め部にリード線を絡げた位置から半田付け位置までが近いと、半田付けする際に抜け止め部からリード線の先端までの長さが短くなる。そのため、リード線を半田付けする際に、リード線を引っ張る場合が生じ、リード線が抜け止め部から外れてしまうおそれが生じる。
【０００６】
そこで本発明は、上記の問題点に鑑み、リード線を回路基板に半田付けする際にリード線が抜け止め部から外れにくい風呂リモコンを提供することを課題とする。
【課題を解決するための手段】
【０００７】
上記課題を解決するために本発明による風呂リモコンは、壁面に取り付けられる後ケースと、この後ケースに接合される前ケースとからなるケーシング内に、前ケースに固定して回路基板を収納すると共に、後ケースの中央部近傍に形成した配線穴を通してケーシング内部に延在するリード線の先端を上記回路基板上に形成した半田付け部に半田付けした風呂リモコンにおいて、上記配線穴を通してケーシング内に延在されたリード線を保持する抜け止め部を、上記ケーシングの一側側に変位させて後ケースに形成すると共に、上記半田付け部を、上記回路基板を上記前ケースに固定した状態でケーシングの他側側に変位した位置に設けたことを特徴とする。
【０００８】
抜け止め部を一側側に形成し、半田付け部を他側側に形成することによって、抜け止め部からリード線の先端までの長さを長くすることができる。この結果、リード線の先端を半田付け部に半田付けする際に、リード線を引っ張ることがない。
【０００９】
なお、抜け止め部から半田付け部までの距離が長くなると、両者の間に架設されるリード線が弛んで前ケースと後ケースとを相互に合わせる際に、リード線がリブなどに挟まれるおそれが生じる。そこで、上記リード線の先端を上記半田付け部に半田付けし、前ケースと後ケースとを相互に接続した状態でリード線を半田付け部近傍で保持する保持部を、後ケースに形成することが望ましい。
【００１０】
また、抜け止め部からリード線の先端までの長さが短すぎると半田付けした後で前ケースと後ケースとを相互に合わせることができなくなる。逆に長すぎるとリード線が無駄になるばかりか、リード線が弛んで、やはり前ケースと後ケースとを相互に合わせる際に不具合が生じる。
【００１１】
そこで、抜け止め部からリード線の先端までの長さを正確に設定することができるように、上記リード線の先端を上記半田付け部に半田付けし、前ケースと後ケースとを相互に接続した状態でリード線の弛みが生じないようにリード線の先端から上記抜け止め部までの長さを設定するための設定部を、上記後ケースに形成することが望ましい。
【発明の効果】
【００１２】
以上の説明から明らかなように、本発明は、リード線の先端を半田付け部に半田付けする際に、リード線を引っ張らなくても良いので、リード線が抜け止め部から外れることを防止できる。
【図面の簡単な説明】
【００１３】
【図１】前ケースと後ケースとを接合する前に半田付けを完了した状態を示す図
【図２】後ケースでのリード線の状態を示す図
【図３】III-III断面図
【発明を実施するための形態】
【００１４】
図１を参照して、１は浴室リモコンの前ケースで有り、この前ケース１に後方から後ケース２が水密に連結することにより内部が防水された浴室リモコンとなる。この前ケース１には電子部品が実装された回路基板３が固定されている。一方、後ケース２には中央に配線穴２１が形成されており、その配線穴２１にはゴム製のグロメット２２が嵌合されている。４は複数本のリード線４１が束ねられたハーネスで有り、リード線４１にばらした状態で各リード線４１をグロメット２２に形成した細孔を通して浴室リモコンの内部へ導入させている。
【００１５】
各リード線４１の先端は回路基板３の後面に形成した複数の半田付け部３１のうちの対応するものに半田付けされる。なお、この半田付け作業は手作業によって行われる。また、各半田付け部３１は全て浴室リモコンの一側側に集約して設けた。
【００１６】
図２を参照して、グロメット２２を通過した各リード線４１は後ケース２の前面、すなわち内側面に形成さえた抜け止め部２３に絡げられて固定される。このように各リード線４１を抜け止め部２３に絡げることにより、ハーネス４が後方に引かれても各リード線４１に対する引っ張り力は抜け止め部２３で受けられ、リード線４１が後方に抜けてしまうことが防止できる。なお、これら抜け止め部２３は全て浴室リモコンの他側側に集約して設けた。
【００１７】
上述のように半田付け部３１は一側側に集約して設け、抜け止め部２３は他側側に集約して設けているので、各抜け止め部２３からリード線４１の先端部４１ａまでの長さを可及的に長くすることができる。ただし、この長さを長くしすぎると前ケース１に後ケース２を連結させる際にリード線４１が弛んで、後ケース２の内面に形成したリブなどに挟まってしまうおそれが生じる。また、逆に短すぎると、前ケース１と後ケースを相互に連結する際にリード線４１が突っ張って両ケースを連結することができない。
【００１８】
そこで、抜け止め部２３からリード線４１の先端部４１ａまでの長さを正確に規定するために、後ケース２のリブの一部に設定部２４を設けた。リード線４１を抜け止め部２３に絡げる際に、リード線４１の先端部４１ａを設定部２４に当接させ、その状態でリード線４１を抜け止め部２３に絡げれば抜け止め部２３からリード線４１の先端部４１ａまでの長さが規定されるようにした。
【００１９】
また、図３を参照して、リード線４１の先端部４１ａを半田付け部３１に半田付けし、さらに前ケース１と後ケース２とを相互に結合した状態で、各リード線４１を半田付け部３１の近傍で保持する保持溝２５ａを有する保持部２５を後ケース２に形成した。
【００２０】
なお、本発明は上記した形態に限定されるものではなく、本発明の要旨を逸脱しない範囲内において種々の変更を加えてもかまわない。
【符号の説明】
【００２１】
１ 前ケース
２ 後ケース
２１ 配線穴
２２ グロメット
２３ 抜け止め部
２４ 設定部
２５ 保持部
３ 回路基板
３１ 半田付け部
４ ハーネス
４１ リード線
４１ａ 先端部
【図１】
2015081714.tif 000003
【図２】
2015081714.tif 000004
【図３】
2015081714.tif 000005